(57)【特許請求の範囲】
【請求項１】
送信機および受信機が、光伝送路を介して互いに接続された送受信システムであって、
前記送信機に設けられ、前記送信機に入力されて変調された送信信号に対して、送信側タップ係数に応じた特性を付加する送信側特性付加手段と、
前記受信機に設けられ、前記送信側特性付加手段から出力されて前記光伝送路により伝送された前記送信信号に対して、受信側タップ係数に応じた特性を付加する受信側特性付加手段と、
前記光伝送路の伝送路特性を算出する伝送路特性算出手段と、
前記送信側タップ係数および前記受信側タップ係数を算出するタップ係数算出手段と、を備え、
前記タップ係数算出手段は、前記伝送路特性と前記伝送路特性に応じて設定される追加特性とを組み合わせて合成特性を算出し、前記合成特性の逆特性に基づいて前記送信側タップ係数を算出するとともに、前記追加特性に基づいて前記受信側タップ係数を算出することを特徴とする送受信システム。
【請求項２】
前記送信側特性付加手段および前記受信側特性付加手段は、トランスバーサルフィルタであることを特徴とする請求項１に記載の送受信システム。
【請求項３】
前記送信側特性付加手段および前記受信側特性付加手段は、
前記送信側タップ係数または受信側タップ係数に基づいてルックアップテーブル値を算出するテーブル値算出手段と、
前記ルックアップテーブル値を記憶したＲＡＭと、
を含むことを特徴とする請求項１に記載の送受信システム。
【発明の詳細な説明】
【技術分野】
【０００１】
この発明は、光伝送路で信号を伝送する際に、伝送路特性に起因して発生する信号の歪みを補償する送受信システムに関する。
【背景技術】
【０００２】
従来の補償システムは、伝送路特性算出回路と、逆特性算出回路と、フィルタ回路を含む送信機と、受信機とを備え、光伝送路で信号を伝送する際に、伝送路特性に起因して発生する信号の歪みを補償している（例えば、特許文献１参照）。
伝送路特性算出回路は、光ファイバ等で構成された光伝送路の伝送路特性を算出する。逆特性算出回路は、伝送路特性算出回路で算出された伝送路特性の逆特性を算出する。
【０００３】
送信機は、逆特性算出回路で算出された伝送路特性の逆特性に基づいて、入力されて変調された送信信号に対して、電気的領域においてフィルタ回路により逆特性を付加する。また、送信機は、逆特性が付加された送信信号を、光変調器により電気信号から光信号に変換して光伝送路に出力する。
【０００４】
ここで、送信信号には、伝送路特性の逆特性が付加されているので、光伝送路で伝送路特性に起因して発生する信号の歪みは、逆特性による送信信号の歪みと相殺されて除去される。
受信機は、光伝送路を通過した送信信号を受信信号として受信し、受信信号を光信号から電気信号に変換して、送信されたデータを受信する。
【０００５】
送信信号に伝送路特性の逆特性を付加するフィルタ回路としては、ＦＩＲ（Ｆｉｎｉｔｅ  Ｉｍｐｕｌｓｅ  Ｒｅｓｐｏｎｓｅ：有限インパルス応答）フィルタまたはトランスバーサルフィルタ等と呼ばれるデジタルフィルタが用いられる。また、これらのフィルタに代えて、ルックアップテーブル値を記憶し、メモリアクセスにより積算結果を出力するＲＡＭが用いられることもある。
【０００６】
【特許文献１】特表２００６−５２２５０８号公報
【発明の開示】
【発明が解決しようとする課題】
【０００７】
しかしながら、従来技術には、次のような課題がある。
すなわち、同じ送信信号に対して伝送路特性の逆特性を付加する場合であっても、伝送路特性の大きさにより、フィルタ回路から出力される信号の平均レベルが変化する。
ここで、伝送路特性が大きい場合には、光伝送路で発生する信号の歪みが大きくなり、伝送路特性が小さい場合には、光伝送路で発生する信号の歪みが小さくなる。
【０００８】
そのため、伝送路特性が非常に小さい場合とある程度大きい場合とでは、これらの伝送路特性の逆特性をそれぞれ送信信号に付加したときに、フィルタ回路から出力される信号の平均レベルが、互いに大きく異なる。
そのため、フィルタ回路から安定したレベルの信号を得ることができず、送信機から出力される信号のレベルも安定したものにならないという問題点があった。また、送信機から出力される信号のレベルが安定しないことにより、光伝送路を伝送されて受信機に受信された受信信号に、劣化が生じる恐れがあるという問題点もあった。
【０００９】
なお、特にＯＯＫ（Ｏｎ−Ｏｆｆ  Ｋｅｙｉｎｇ：オンオフキーイング）により変調された送信信号に対して、伝送路特性が非常に小さい場合の逆特性を付加すると、フィルタ回路から出力される信号の虚部の値が非常に小さくなることが知られている。
この場合には、フィルタ回路から出力される信号の実部および虚部に基づいて直交変換を実行する光変調器において、送信ＳＮＲ（Ｓｉｇｎａｌ  ｔｏ  Ｎｏｉｓｅ  Ｒａｔｉｏ：信号対雑音の比）を高めることができない。
そのため、伝送路特性が非常に小さい場合には、受信信号にさらに劣化が生じるという問題点もあった。
【００１０】
この発明は、上記のような課題を解決するためになされたものであって、その目的は、送信機から安定したレベルの信号を得るとともに、受信信号の劣化を防止することができる送受信システムを提供することにある。
【課題を解決するための手段】
【００１１】
この発明に係る送受信システムは、送信機および受信機が、光伝送路を介して互いに接続された送受信システムであって、送信機に設けられ、送信機に入力されて変調された送信信号に対して、送信側タップ係数に応じた特性を付加する送信側特性付加手段と、受信機に設けられ、送信側特性付加手段から出力されて光伝送路により伝送された送信信号に対して、受信側タップ係数に応じた特性を付加する受信側特性付加手段と、光伝送路の伝送路特性を算出する伝送路特性算出手段と、送信側タップ係数および受信側タップ係数を算出するタップ係数算出手段とを備え、タップ係数算出手段は、伝送路特性と伝送路特性に応じて設定される追加特性とを組み合わせて合成特性を算出し、合成特性の逆特性に基づいて送信側タップ係数を算出するとともに、追加特性に基づいて受信側タップ係数を算出するものである。
【発明の効果】
【００１２】
この発明の送受信システムによれば、タップ係数算出手段は、伝送路特性と伝送路特性に応じて設定される追加特性とを組み合わせて合成特性を算出し、合成特性の逆特性に基づいて送信側タップ係数を算出するとともに、追加特性に基づいて受信側タップ係数を算出する。送信側特性付加手段は、送信機に入力されて変調された送信信号に対して、送信側タップ係数に応じた特性を付加する。また、受信側特性付加手段は、受信機に受信信号として受信された送信信号に対して、受信側タップ係数に応じた特性を付加する。
そのため、送信機から安定したレベルの信号を得るとともに、受信信号の劣化を防止することができる。
【発明を実施するための最良の形態】
【００１３】
以下、この発明の各実施の形態について図に基づいて説明するが、各図において同一、または相当する部分については、同一符号を付して説明する。
【００１４】
実施の形態１．
図１は、この発明の実施の形態１に係る送受信システムを示すブロック構成図である。
図１において、この送受信システムは、送信機１と、受信機２と、光伝送路３と、伝送路特性算出器４（伝送路特性算出手段）と、タップ係数算出部５（タップ係数算出手段）とを備えている。
【００１５】
送信機１は、送信データ生成部１１と、送信側フィルタ１２（送信側特性付加手段）と、Ｄ／Ａ（Ｄｉｇｉｔａｌ  ｔｏ  Ａｎａｌｏｇ）変換器１３と、Ｅ／Ｏ（Ｅｌｅｃｔｒｏｎｉｃ  ｔｏ  Ｏｐｔｉｃａｌ）変換器１４とを含んでいる。また、受信機２は、Ｏ／Ｅ変換器２１と、波形整形フィルタ２２と、Ａ／Ｄ変換器２３と、受信側フィルタ２４（受信側特性付加手段）と、等化器２５と、データ判定部２６とを含んでいる。
また、光伝送路３は、例えば光ファイバ等で構成されている。
【００１６】
まず始めに、送信機１側の機能について説明する。
送信データ生成部１１は、送信機１に入力されたデジタル信号である送信情報系列に対して、信号マッピングを実行する。信号マッピングには、例えばＯＯＫやＱＰＳＫ（Ｑｕａｄｒａｔｕｒｅ  Ｐｈａｓｅ  Ｓｈｉｆｔ  Ｋｅｙｉｎｇ：４位相偏位変調方式）等の方法が考えられる。また、受信機２において遅延検波方式を用いることを想定している場合には、送信データ生成部１１において差動符号化も併せて実行される。
送信データ生成部１１は、信号マッピングによって得られた信号を、送信信号として送信側フィルタ１２に出力する。
【００１７】
送信側フィルタ１２は、デジタルフィルタである複素トランスバーサルフィルタを有している。複素トランスバーサルフィルタは、複数の遅延器と、各遅延器で遅延された信号にタップ係数を乗算する乗算器と、各乗算器からの出力を加算する加算器とを有している。また、複素トランスバーサルフィルタは、時間領域で信号処理を実行し、高速処理が要求される場合には、信号処理を並列化して実行してもよい。
【００１８】
送信側フィルタ１２は、複素トランスバーサルフィルタを用いて、送信データ生成部１１からの送信信号に対して、タップ係数算出部５で算出された送信側タップ係数（後述する）に応じた特性を付加する。送信側タップ係数は、光伝送路３の伝送路特性と伝送路特性に応じて設定される追加特性とを組み合わせた合成特性（後述する）に応じて算出される。
また、送信側フィルタ１２は、送信信号に合成特性の逆特性を付加した信号を、フィルタ後送信信号としてＤ／Ａ変換器１３に出力する。
【００１９】
Ｄ／Ａ変換器１３は、送信側フィルタ１２からのフィルタ後送信信号をデジタル信号からアナログ信号に変換し、アナログ送信信号としてＥ／Ｏ変換器１４に出力する。
Ｅ／Ｏ変換器１４は、Ｄ／Ａ変換器１３からのアナログ送信信号を電気信号から光信号に変換し、光送信信号として光伝送路３に出力する。このとき、アナログ送信信号は、複素信号の実部信号および虚部信号に基づいて直交変調される。Ｅ／Ｏ変換器１４としては、例えば上記特許文献１に示された２次元光変調器等が用いられる。
光伝送路３は、Ｅ／Ｏ変換器１４からの光送信信号を伝送して、受信機２のＯ／Ｅ変換器２１に出力する。
【００２０】
続いて、受信機２側の機能について説明する。
Ｏ／Ｅ変換器２１は、光伝送路３により伝送された光送信信号を光受信信号として受信する。また、Ｏ／Ｅ変換器２１は、光受信信号を光信号から電気信号に変換し、アナログ受信信号として波形整形フィルタ２２に出力する。このとき、光受信信号は、直交検波されて、実部信号および虚部信号を有する複素信号として出力される。
【００２１】
波形整形フィルタ２２は、例えばバンドパスフィルタ等で構成されており、Ｏ／Ｅ変換器２１からのアナログ受信信号に対して、受信帯域制限のためのアナログフィルタ処理を実行する。波形整形フィルタ２２は、アナログ受信信号の受信帯域を制限した信号を、整形後受信信号としてＡ／Ｄ変換器２３に出力する。
Ａ／Ｄ変換器２３は、波形整形フィルタ２２からの整形後受信信号をアナログ信号からデジタル信号に変換し、デジタル受信信号として受信側フィルタ２４に出力する。
【００２２】
受信側フィルタ２４は、送信側フィルタ１２と同様に、複素トランスバーサルフィルタを有している。受信側フィルタ２４は、タップ係数算出部５で算出された受信側タップ係数（後述する）に基づいて、Ａ／Ｄ変換器２３からのデジタル受信信号に対して、前述した追加特性を付加する。
受信側フィルタ２４は、デジタル受信信号に追加特性を付加した信号を、フィルタ後受信信号として等化器２５に出力する。
【００２３】
等化器２５は、複素トランスバーサルフィルタやフィードバックフィルタ等のフィルタと、これらのフィルタのタップ係数を推定するタップ係数推定器とを有している。等化器２５は、受信側フィルタ２４からのフィルタ後受信信号から、前述した光伝送路３の伝送路特性および追加特性以外の原因で発生する信号の歪みを除去する。また、等化器２５は、光伝送路３の伝送路特性が時間的に変動した場合にも、この変動に起因する信号の歪み等を除去する。また、タップ係数の推定方法としては、例えばＬＭＳ（Ｌｅａｓｔ  Ｍｅａｎ  Ｓｑｕａｒｅ）アルゴリズム等が用いられる。
等化器２５は、フィルタ後受信信号からこれらの信号歪みを除去した信号を、補償後受信信号としてデータ判定部２６に出力する。
【００２４】
データ判定部２６は、等化器２５からの補償後受信信号に対して、マッピング規則に基づいて、データ判定を実行する。データ判定部２６は、データ判定の結果を出力信号として外部に出力する。
【００２５】
次に、伝送路特性算出器４とタップ係数算出部５について説明する。
伝送路特性算出器４は、光伝送路３により伝送された光送信信号に基づいて、光伝送路３の伝送路特性を算出し、伝送路特性をタップ係数算出部５に出力する。また、伝送路特性算出器４は、光伝送路３の伝送路特性とともに、伝送路インパルス応答を算出する。
なお、伝送路特性算出器４は、光送信信号以外に、Ｏ／Ｅ変換器２１からのアナログ受信信号、波形整形フィルタ２２からの整形後受信信号、またはＡ／Ｄ変換器２３からのデジタル受信信号に基づいて光伝送路３の伝送路特性を算出することもできる。
【００２６】
光伝送路３の伝送路特性は、４光波混合、自己位相変調もしくは相互位相変調等の光ファイバの非線形歪み、波長分散または偏波モード分散等によって決まる。以下の説明では、波長分散によって伝送路特性が決定される場合を例として示す。
また、光伝送路３の伝送路特性は、実部および虚部を有する複素数として表される。
【００２７】
伝送路特性算出器４が算出した光伝送路３の伝送路特性を伝送路特性Ｈとし、伝送路特性Ｈを周波数領域で表現したものを伝送路周波数特性Ｈ（ｆ）とすると、伝送路周波数特性Ｈ（ｆ）は、次式（１）で表される。
【００２８】
Ｈ（ｆ）＝ｅｘｐ［ｊφ（ＤＬ）］  ・・・（１）
【００２９】
式（１）において、φはあらかじめ設定された定数、Ｄは光ファイバの材料に応じて決まる単位長さあたりの損失、Ｌはファイバ長を示しており、ＤとＬとを乗算したものが波長分散量となる。
【００３０】
タップ係数算出部５は、伝送路特性算出器４で算出された伝送路特性Ｈに基づいて、送信側フィルタ１２に対する送信側タップ係数と、受信側フィルタ２４に対する受信側タップ係数とを算出する。タップ係数算出部５は、算出した送信側タップ係数および受信側タップ係数を、それぞれ送信側フィルタ１２および受信側フィルタ２４に出力する。
【００３１】
タップ係数算出部５は、まず、伝送路特性Ｈと伝送路特性Ｈに応じて設定される追加特性ΔＨとを組み合わせて、合成特性Ｓを算出する。
追加特性ΔＨを周波数領域で表現したものを追加周波数特性ΔＨ（ｆ）とし、合成特性Ｓを周波数領域で表現したものを合成周波数特性Ｓ（ｆ）とすると、追加周波数特性ΔＨ（ｆ）および合成周波数特性Ｓ（ｆ）は、それぞれ次式（２）および次式（３）で表される。
【００３２】
ΔＨ（ｆ）＝ｅｘｐ［ｊφ（Ｒ）］  ・・・（２）
Ｓ（ｆ）＝Ｈ（ｆ）ΔＨ（ｆ）      ・・・（３）
【００３３】
式（２）において、Ｒは、例えば５ｎｓ／ｎｍ以上の値とする。追加周波数特性ΔＨ（ｆ）は、伝送路周波数特性Ｈ（ｆ）が非常に小さい場合であっても、合成周波数特性Ｓ（ｆ）が所定の値よりも大きな値になるように設定される。この所定の値としては、送信信号に合成特性の逆特性を付加した場合に、送信機から出力される信号のレベルが不安定になったり、受信信号が劣化したりしない値が、各光伝送路３に応じて設定される。
【００３４】
続いて、タップ係数算出部５は、合成周波数特性Ｓ（ｆ）の逆特性Ｃ（ｆ）を算出する。
逆特性の算出方法としては、例えばＺＦ（Ｚｅｒｏ  Ｆｏｃｉｎｇ：ゼロ・フォーシング）基準の方法や、ＭＭＳＥ（Ｍｉｎｉｍｕｍ  Ｍｅａｎｓ  Ｓｑｕａｒｅ  Ｅｒｒｏｒ：最小二乗誤差）基準の方法や、あらかじめ得られた送受信信号に対して逆行列を演算する方法等が考えられる。
ここで、例えばＺＦ基準の方法を用いると、式（３）に示した合成周波数特性Ｓ（ｆ）の逆特性Ｃ（ｆ）は、次式（４）で表される。
【００３５】
【数１】
0005188194.tif 000002
【００３６】
次に、タップ係数算出部５は、合成周波数特性Ｓ（ｆ）の逆特性Ｃ（ｆ）に基づいて、送信側タップ係数ＴＴｒを算出する。
送信側タップ係数ＴＴｒは、ＩＤＴＦ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）を用いて、時間領域の複素数として次式（５）で表される。
【００３７】
ＴＴｒ（ｎ）＝ＩＤＦＴ［Ｃ（ｆ）］  （ｎ：０・・・Ｎ−１）  ・・・（５）
【００３８】
式（５）において、ｎは、送信側フィルタ１２の複素トランスバーサルフィルタのタップ数を示している。タップ数ｎは、伝送路インパルス応答よりも長い値（ここでは、Ｎ）として、タップ係数算出部５により設定される。
なお、送信側タップ係数ＴＴｒを周波数領域で表現すると、逆特性Ｃ（ｆ）となる。
【００３９】
続いて、タップ係数算出部５は、追加周波数特性ΔＨ（ｆ）に基づいて、受信側タップ係数ＴＲｅを算出する。
受信側タップ係数ＴＲｅは、送信側タップ係数ＴＴｒと同様にして算出され、次式（６）で表される。
【００４０】
ＴＲｅ（ｍ）＝ＩＤＦＴ［ΔＨ（ｆ）］  （ｍ：０・・・Ｍ−１）  ・・・（６）
【００４１】
式（６）において、ｍは、受信側フィルタ２４の複素トランスバーサルフィルタのタップ数を示している。タップ数ｍは、送信側フィルタ１２の複素トランスバーサルフィルタのタップ数ｎよりも大きな値（ここでは、Ｍ）として、タップ係数算出部５により設定される。
なお、受信側タップ係数ＴＲｅを周波数領域で表現すると、追加周波数特性ΔＨ（ｆ）となる。
【００４２】
以下、上記構成の送受信システムの動作について説明する。
まず、送信機１に入力されたデジタル信号は、信号マッピングされ、送信信号として出力される。
送信側フィルタ１２に入力された送信信号は、送信側タップ係数ＴＴｒに応じて合成周波数特性Ｓ（ｆ）の逆特性Ｃ（ｆ）が付加され、複素信号であるフィルタ後送信信号として出力される。
ここで、送信信号をｘ（ｔ）とし、送信信号ｘ（ｔ）およびフィルタ後送信信号を周波数領域で表現したものをそれぞれＸ（ｆ）およびＦ（ｆ）とすると、Ｆ（ｆ）は、合成周波数特性Ｓ（ｆ）の逆特性Ｃ（ｆ）を用いて、次式（７）で表される。
【００４３】
【数２】
0005188194.tif 000003
【００４４】
続いて、フィルタ後送信信号は、Ｄ／Ａ変換器１３でアナログ送信信号に変換され、Ｅ／Ｏ変換器１４で光送信信号に変換されて、光伝送路３により伝送される。
ここで、光伝送路３により伝送された光送信信号を周波数領域で表現したものをＲ（ｆ）とすると、Ｒ（ｆ）は、光伝送路３の伝送路周波数特性Ｈ（ｆ）を用いて、次式（８）で表される。
【００４５】
【数３】
0005188194.tif 000004
【００４６】
次に、光伝送路３により伝送された光送信信号は、Ｏ／Ｅ変換器でアナログ受信信号に変換され、波形整形フィルタ２２で受信帯域が制限され、Ａ／Ｄ変換器２３でデジタル信号に変換されて、デジタル受信信号として出力される。
受信側フィルタ２４に入力されたデジタル受信信号は、受信側タップ係数ＴＲｅに応じて追加周波数特性ΔＨ（ｆ）が付加され、フィルタ後受信信号として出力される。
【００４７】
ここで、フィルタ後受信信号を周波数領域で表現したものをＤ（ｆ）とすると、Ｄ（ｆ）は、追加周波数特性ΔＨ（ｆ）を用いて、次式（９）で表される。
【００４８】
Ｄ（ｆ）＝Ｒ（ｆ）ΔＨ（ｆ）＝Ｘ（ｆ）  ・・・（９）
【００４９】
式（９）において、送信信号ｘ（ｔ）を周波数領域で表現したものがＸ（ｆ）なので、フィルタ後受信信号は、光伝送路３の伝送路特性Ｈに起因して発生する歪みが除去された信号になっていることが分かる。
【００５０】
続いて、等化器２５に入力されたフィルタ後受信信号は、光伝送路３の伝送路特性Ｈおよび追加特性ΔＨ（ｆ）以外の原因で発生する信号の歪みが除去され、補償後受信信号として出力される。
次に、データ判定部２６に入力された補償後受信信号は、データ判定が実行され、出力信号として出力される。
【００５１】
この発明の実施の形態１に係る送受信システムによれば、タップ係数算出部５は、伝送路周波数特性Ｈ（ｆ）と追加周波数特性ΔＨ（ｆ）とを組み合わせて合成周波数特性Ｓ（ｆ）を算出し、合成周波数特性Ｓ（ｆ）に基づいて送信側タップ係数ＴＴｒを算出する。また、タップ係数算出部５は、追加周波数特性ΔＨ（ｆ）に基づいて受信側タップ係数ＴＲｅを算出する。送信側フィルタ１２は、送信信号に対して、送信側タップ係数ＴＴｒに応じて合成周波数特性Ｓ（ｆ）の逆特性Ｃ（ｆ）を付加する。受信側フィルタ２４は、デジタル受信信号に対して、受信側タップ係数ＴＲｅに応じて追加周波数特性ΔＨ（ｆ）を付加する。
そのため、送信機１から安定したレベルの信号を得るとともに、受信機２で受信した信号の劣化を防止することができる。
【００５２】
なお、上記実施の形態１では、波長分散によって伝送路特性が決定される場合について説明したが、これに限定されない。
４光波混合、自己位相変調もしくは相互位相変調等の光ファイバの非線形歪み、または偏波モード分散によって伝送路特性が決定される場合、または分散や歪みが混合している場合であっても、同様に信号の歪みを除去することができる。
【００５３】
実施の形態２．
図２は、この発明の実施の形態２に係る送受信システムを示すブロック構成図である。
図２において、この送受信システムは、図１に示した送信側フィルタ１２に代えて、送信側テーブル値算出部１５（テーブル値算出手段）および送信側ＲＡＭ１６を備えている。また、受信側フィルタ２４に代えて、受信側テーブル値算出部２６（テーブル値算出手段）および受信側ＲＡＭ２７を備えている。
その他の構成については、前述の実施の形態１と同様であり、その説明を省略する。
【００５４】
送信側テーブル値算出部１５は、タップ係数算出部５で算出された送信側タップ係数ＴＴｒに基づいて、送信側ＲＡＭ１６に対するルックアップテーブル値を算出し、送信側ＲＡＭ１６に記憶させる。
具体的には、送信側テーブル値算出部１５は、送信側ＲＡＭ１６に入力されると考えられる送信信号の信号系列を入力値とし、各入力値と送信側タップ係数ＴＴｒとを乗算した値を出力とするテーブル値を算出する。
【００５５】
受信側テーブル値算出部２６は、タップ係数算出部５で算出された受信側タップ係数ＴＲｅに基づいて、送信側テーブル値算出部１５と同様にして受信側ＲＡＭ２７に対するルックアップテーブル値を算出し、受信側ＲＡＭ２７に記憶させる。
なお、送信側ＲＡＭ１６および受信側ＲＡＭ２７は、高速処理に対応するためにそれぞれ複数個設けられて、処理が並列して実行されるようにしてもよい。
【００５６】
この発明の実施の形態２に係る送受信システムによれば、実施の形態１で示した送信側フィルタ１２および受信側フィルタ２４の代わりに、送信側テーブル値算出部１５および受信側テーブル値算出部２６と、送信側ＲＡＭ１６および受信側ＲＡＭ２７とを備えている。
そのため、送信側フィルタ１２および受信側フィルタ２４で必要となる乗算処理を不要にして演算量を削減するとともに、回路規模を縮小することができる。
【００５７】
なお、上記実施の形態２では、送信側テーブル値算出部１５および受信側テーブル値算出部２６がそれぞれ送信機１Ａおよび受信機１Ｂ内に設けられている。しかしながら、これに限定されず、送信側テーブル値算出部１５および受信側テーブル値算出部２６は、送信機１Ａおよび受信機１Ｂの外部に設けられてもよい。
この場合も、上記実施の形態２と同様の効果を奏することができる。
【図面の簡単な説明】
【００５８】
【図１】この発明の実施の形態１に係る送受信システムを示すブロック構成図である。
【図２】この発明の実施の形態２に係る送受信システムを示すブロック構成図である。
【符号の説明】
【００５９】
１、１Ａ  送信機、２、２Ｂ  受信機、３  光伝送路、４  伝送路特性算出器（伝送路特性算出手段）、５  タップ係数算出部（タップ係数算出手段）、１２  送信側フィルタ（送信側特性付加手段）、１５  送信側テーブル値算出部（テーブル値算出手段）、１６  送信側ＲＡＭ、２４  受信側フィルタ（受信側特性付加手段）、２６  受信側テーブル値算出部（テーブル値算出手段）、２７  受信側ＲＡＭ。
【図１】
0005188194.tif 000005
【図２】
0005188194.tif 000006